【手続補正書】
【提出日】平成19年1月18日(2007.1.18)
【手続補正１】
【補正対象書類名】特許請求の範囲
【補正対象項目名】全文
【補正方法】変更
【補正の内容】
【特許請求の範囲】
【請求項１】
水−冷媒熱交換器を有するヒートポンプ冷媒回路と、
給水口から給水した水を前記水−冷媒熱交換器で加熱して直接給湯口に給湯することができる直接給湯回路と、
前記ヒートポンプ冷媒回路の加熱能力が安定するまでは前記直接給湯回路から前記給湯口への給湯を補助するための出湯を行うことができる貯湯タンクを有するタンク給湯回路と、
タンク循環ポンプを有し、前記水−冷媒熱交換器を用いて前記貯湯タンクの沸き上げを行う貯湯回路と、
各種センサから信号を受け取り、これらの信号に基づいて各機器を制御する運転制御手段と、を備えたヒートポンプ給湯装置であって、
前記貯湯タンクは貯湯された湯の温度を検知する温度検知サーミスタを備え、
前記運転制御手段は、給湯が停止された後、前記温度検知サーミスタによって検知される前記貯湯タンクの貯湯量である検知貯湯量が、外気温度に基づいて設定される前記貯湯タンクの貯湯量の設定量である設定貯湯量未満の場合に、前記ヒートポンプ冷媒回路に加えて前記タンク循環ポンプを稼動し、前記検知貯湯量が前記設定貯湯量に達するまで、タンク貯湯運転を行うヒートポンプ給湯装置。
【請求項２】
水−冷媒熱交換器を有するヒートポンプ冷媒回路と、
給水口から給水した水を前記水−冷媒熱交換器で加熱して直接給湯口に給湯することができる直接給湯回路と、
前記ヒートポンプ冷媒回路の加熱能力が安定するまでは前記直接給湯回路から前記給湯口への給湯を補助するための出湯を行うことができる貯湯タンクを有するタンク給湯回路と、
タンク循環ポンプを有し、前記水−冷媒熱交換器を用いて前記貯湯タンクの沸き上げを行う貯湯回路と、
各種センサから信号を受け取り、これらの信号に基づいて各機器を制御する運転制御手段と、を備えたヒートポンプ給湯装置であって、
前記貯湯タンクは貯湯された湯の温度を検知する温度検知サーミスタを備え、
前記運転制御手段は、給湯が停止された後、前記温度検知サーミスタによって検知される前記貯湯タンクの貯湯量である検知貯湯量が、前記給水口から給水した水の温度である給水温度に基づいて設定される前記貯湯タンクの貯湯量の設定量である設定貯湯量未満の場合に、前記ヒートポンプ冷媒回路に加えて前記タンク循環ポンプを稼動し、前記検知貯湯量が前記設定貯湯量に達するまで、タンク貯湯運転を行うヒートポンプ給湯装置。
【請求項３】
請求項１または２において、
前記設定貯湯量は、外気温度及び前記給水口から給水した水の温度である給水温度に基づいて設定されることを特徴とするヒートポンプ給湯装置。
【請求項４】
請求項１または２において、
前記タンク循環ポンプは、前記直接給湯回路上でも前記タンク給湯回路上でもない、前記貯湯回路上に配設されていることを特徴とするヒートポンプ給湯装置。
【請求項５】
請求項１または２において、
前記運転制御手段は、前記給湯口の開放を検知して前記ヒートポンプ冷媒回路を起動させて前記直接給湯回路を用いて前記給湯口に給湯を行うとともに、前記タンク給湯回路を用いて前記給湯口に給湯を行うことを特徴とするヒートポンプ給湯装置。
【請求項６】
請求項１または２において、
前記運転制御手段は、前記ヒートポンプ冷媒回路の加熱能力が安定したと判断したら、前記貯湯タンクからの出湯をやめることを特徴とするヒートポンプ給湯装置。
【請求項７】
請求項１または２において、
前記運転制御手段は、前記検知貯湯量が所定値以下になったら、前記貯湯タンクからの出湯をやめることを特徴とするヒートポンプ給湯装置。
【請求項８】
請求項１または２において、
前記直接給湯回路と前記タンク貯湯回路とを同時に使用して前記給湯口に給湯することを特徴とするヒートポンプ給湯装置。
【請求項９】
請求項１または２において、
前記温度検知サーミスタは、前記貯湯タンクの高さ方向に複数取り付けられたことを特徴とするヒートポンプ給湯装置。
【請求項１０】
請求項１または２において、
前記温度検知サーミスタは、前記貯湯タンク内に配設されていることを特徴とするヒートポンプ給湯装置。
【請求項１１】
請求項１または２において、
前記温度検知サーミスタは、前記貯湯タンクの外側の側壁に配設されていることを特徴とするヒートポンプ給湯装置。
【請求項１２】
請求項１または２において、
前記ヒートポンプ冷媒回路は複数設けられ、前記水−冷媒熱交換器を共通としていることを特徴とするヒートポンプ給湯装置。
【手続補正２】
【補正対象書類名】明細書
【補正対象項目名】００１０
【補正方法】変更
【補正の内容】
【００１０】
本発明のヒートポンプ給湯装置は、水−冷媒熱交換器を有するヒートポンプ冷媒回路と、給水口から給水した水を水−冷媒熱交換器で加熱して直接給湯口に給湯することができる直接給湯回路と、ヒートポンプ冷媒回路の加熱能力が安定するまでは直接給湯回路から給湯口への給湯を補助するための出湯を行うことができる貯湯タンクを有するタンク給湯回路と、タンク循環ポンプを有し、水−冷媒熱交換器を用いて貯湯タンクの沸き上げを行う貯湯回路と、各種センサから信号を受け取り、これらの信号に基づいて各機器を制御する運転制御手段と、を備えたヒートポンプ給湯装置であって、貯湯タンクは貯湯された湯の温度を検知する温度検知サーミスタを備え、運転制御手段は、給湯が停止された後、温度検知サーミスタによって検知される貯湯タンクの貯湯量である検知貯湯量が、外気温度に基づいて設定される貯湯タンクの貯湯量の設定量である設定貯湯量未満の場合に、ヒートポンプ冷媒回路に加えてタンク循環ポンプを稼動し、検知貯湯量が設定貯湯量に達するまで、タンク貯湯運転を行うことを特徴とする。また、貯湯タンクの貯湯量の設定量である設定貯湯量は、外気温度に代えて、給水口から給水した水の温度である給水温度に基づいて設定されることを特徴とする。
【手続補正３】
【補正対象書類名】明細書
【補正対象項目名】００１１
【補正方法】変更
【補正の内容】
【００１１】
このような構成によれば、例えば、外気温度などに基づいて、貯湯槽内の湯量（貯湯量）を、適量に設定することにより、過剰な貯湯による熱損失を低減することができる。すなわち、外気温度の高い夏場は湯の使用量が少なく、貯湯槽内の温度低下も遅いため、貯湯量を少なく設定できる。反対に、外気温度が低い冬場は、湯の使用量が多く、貯湯槽内の温度低下が速いため、貯湯量を多く設定する。
【手続補正４】
【補正対象書類名】明細書
【補正対象項目名】００１２
【補正方法】変更
【補正の内容】
【００１２】
また、貯湯タンクの貯湯量の設定量である設定貯湯量は、外気温度及び給水口から給水した水の温度である給水温度に基づいて設定されるようにしてもよい。このように、外気温度や給水温度の検出温度に対し最適な貯湯量を予め定めておくことにより、最適な湯量の状態を維持することができる。なお、水道水などの給水温度は、一般に外気温度と比べて変動が小さいため高い信頼性を得ることができる。
【手続補正５】
【補正対象書類名】明細書
【補正対象項目名】００１３
【補正方法】変更
【補正の内容】
【００１３】
この場合において、タンク循環ポンプは、直接給湯回路上でもタンク給湯回路上でもない、貯湯回路上に配設されていることを特徴とする。また、運転制御手段は、給湯口の開放を検知して、ヒートポンプ冷媒回路を起動させて直接給湯回路を用いて給湯口に給湯を行うとともに、タンク給湯回路を用いて給湯口に給湯を行うように、また、ヒートポンプ冷媒回路の加熱能力が安定したと判断したら、貯湯タンクからの出湯をやめるように、また、検知貯湯量が所定値以下になったら、貯湯タンクからの出湯をやめるように、それぞれ各機器を制御することを特徴とする。また、ヒートポンプ給湯装置の給湯の際は、直接給湯回路とタンク貯湯回路とを同時に使用して給湯口に給湯することを特徴とする。
【手続補正６】
【補正対象書類名】明細書
【補正対象項目名】００１４
【補正方法】変更
【補正の内容】
【００１４】
また、温度検知サーミスタは、貯湯タンクの高さ方向に複数取り付けられていてもよい。このように、高さ方向の複数箇所で温度を検知することにより、設定温度以上の湯量を検知することができる。また、温度検知サーミスタは、貯湯タンク内に配設され、或いは、貯湯タンクの外側の側壁に配設されていてもよい。
【手続補正７】
【補正対象書類名】明細書
【補正対象項目名】００１５
【補正方法】変更
【補正の内容】
【００１５】
また、水−冷媒熱交換器を共通とする複数のヒートポンプ冷媒回路を備えていてもよい。
【手続補正８】
【補正対象書類名】明細書
【補正対象項目名】００３０
【補正方法】変更
【補正の内容】
【００３０】
図２は、本実施形態における水−冷媒熱交換器１５の一例を示す模式図である。図に示すように、水−冷媒熱交換器１５は、風呂熱交換器７５を分離した給湯専用の熱交換器で、２本の冷媒伝熱管９ａ、９ｂと、２本の給水伝熱管９ｃ、９ｄとからなり、冷媒伝熱管９ａ、９ｂと給水伝熱管９ｃ、９ｄとを交互に接触させて円筒状に巻き上げた構造になっている。なお、図示しないが、本実施形態においては、円筒状の貯湯タンク２１の外周壁に、水−冷媒熱交換器１５を巻き付け、または同心円状に配置してもよい。これによれば、貯湯タンク２１からの放熱を抑制し、熱損失を低減することができる。また、本実施形態の給水伝熱管は、内部圧損を少なくするため２本に分岐させているが、これに限られるものではない。
【手続補正９】
【補正対象書類名】明細書
【補正対象項目名】００３２
【補正方法】変更
【補正の内容】
【００３２】
すなわち、従来の風呂追焚用熱交換器は、ヒートポンプの冷媒伝熱管と風呂水伝熱管で熱交換を行なうため、万一、内側管が破損した場合、高圧冷媒が水回路に浸入し、洗面給湯水や台所給湯水を汚染させるおそれがある。このため、２重管構造は採用されず、冷媒管と水配管とを各々独立させた配管構造にする必要があった。これに対し、本実施形態によれば、風呂熱交換器７５を水−冷媒熱交換器１５から分離して、加熱循環水と熱交換する構造にしているため、２重管構造を取ることができる。